(57)【特許請求の範囲】
【請求項１】
透光性材料よりなり、上面に開口部を有する箱状のケースと、
前記ケースの上端開口部を閉塞する上片の後端に、前記ケースの後面より後方に離間するようにして垂下する垂下片を連設してなる放熱板と、
前記ケース内における放熱板の上片の下面に設けられ、かつ下面に光源を取付けた基板とを備える照明灯を、前記ケースの後面および放熱板の垂下片が支持体の前面から離間するようにして、スペーサを介して支持体の前面に取付け、かつ前記支持体を、放熱板の上片が天井の下面から離間するようにして天井に取付けることにより、照明灯と支持体、および照明灯と天井との間に、互いに連通する側面視Ｌ字状の冷却空気の流通路を形成するようにしたことを特徴とする照明灯の取付構造。
【請求項２】
天井の下面に取付けた支持体である電源ボックスの前後両面に、互いに前後対称をなす１対の照明灯を、放熱板の上片が天井の下面から離間するようにして、かつケースおよび放熱板の垂下片が電源ボックスの前後面から離間するようにして、スペーサを介して取付け、前記電源ボックス内に、前後の照明灯に給電する給電装置を設けた請求項１記載の照明灯の取付構造。
【請求項３】
放熱板の垂下片に、上下方向を向く複数の切込溝を設けることにより、垂下片を櫛歯状とした請求項１または２記載の照明灯の取付構造。
【請求項４】
基板を、放熱板の下面に取付けられた水平片と、その後端から後下方に延出する傾斜片とからなるものとし、前記両片の下面にそれぞれ複数の光源を、左右方向に並べて、かつ水平片に設けた互いに隣接する２個の光源の間に、傾斜片に設けた各光源が位置するようにして設けた請求項１〜３のいずれかに記載の照明灯の取付構造。
【請求項５】
光源を、ＬＥＤとした請求項１〜４のいずれかに記載の照明灯の取付構造。
【請求項６】
放熱板の上片とケースの上端との間に、パッキンを介在させて、放熱板をケースに締付けて固定することにより、ケース内を密閉した請求項１〜５のいずれかに記載の照明灯の取付構造。
【発明の詳細な説明】
【技術分野】
【０００１】
本発明は、放熱性を考慮した照明灯の取付構造に関する。
【背景技術】
【０００２】
従来の照明灯には、光源として複数の発光ダイオード(以下、ＬＥＤという)を用い、その光源から生じる熱を、放熱板により、外部に放散させるようにしたものがある(例えば、特許文献１参照)。
【先行技術文献】
【特許文献】
【０００３】
【特許文献１】特開２０１０−２１１５６号公報
【発明の概要】
【発明が解決しようとする課題】
【０００４】
特許文献１に記載されている発明においては、下面に多数のＬＥＤを設けた基板の上面を、接着機能を備える樹脂製の放熱層を介して、放熱板(ヒートシンク)の下面に固着し、放熱板の上面には、上方を向く多数の放熱フィンを立設してあるので、放熱板を直接建物の天井の下面等に取付けることができない。
しかも、放熱フィンの高さが高いので、天井面からＬＥＤまでの上下間隔を大としなければならず、取付け時のレイアウトの自由度が大幅に制限される。
また、平板状の基板の下面に、多数のＬＥＤを縦横に均一に並べてあるだけであるので、中央部分の照度が高く、周縁部が低くなる傾向がある。
【０００５】
本発明は、従来の技術が有する上記のような問題点に鑑み、取付け時のレイアウトの自由度が大であり、特に、天井から光源までの距離を小として取付けることができ、しかも、十分な放熱性能を発揮することができるだけでなく、照度分布を均一化できるようにした照明灯の取付構造を提供することを目的としている。
【課題を解決するための手段】
【０００６】
本発明によると、上記課題は、次のようにして解決される。
(１)  透光性材料よりなり、上面に開口部を有する箱状のケースと、前記ケースの上端開口部を閉塞する上片の後端に、前記ケースの後面より後方に離間するようにして垂下する垂下片を連設してなる放熱板と、前記ケース内における放熱板の上片の下面に設けられ、かつ下面に光源を取付けた基板とを備える照明灯を、前記ケースの後面および放熱板の垂下片が支持体の前面から離間するようにして、スペーサを介して支持体の前面に取付け、かつ前記支持体を、放熱板の上片が天井の下面から離間するようにして天井に取付けることにより、照明灯と支持体、および照明灯と天井との間に、互いに連通する側面視Ｌ字状の冷却空気の流通路を形成するようにする。
【０００７】
このような構成とすると、放熱板の上片に放熱フィンを立設する代わりに、放熱板の上片の後端に連設した垂下片を、ケースの後面より後方に離間させ、ここで外気と熱交換させて、放熱させるようにしてあるので、十分な放熱性能を発揮することができ、しかも、天井から光源までの距離を小として、室内等に取付けることができ、取付け時のレイアウトの自由度を大とすることができる。
また、照明灯と支持体、および照明灯と天井との間に、互いに連通する側面視Ｌ字状の通気路が形成され、ここを通る空気によって、放熱板の垂下片だけでなく、上片からも直接放熱することができ、放熱性能を高めることができる。
しかも、照明灯と天井との間の間隔は微小でよいので、天井から光源までの距離を小とすることができ、取付け時のレイアウトの自由度を大とすることができる。
【０００８】
(２)  上記(１)項において、天井の下面に取付けた支持体である電源ボックスの前後両面に、互いに前後対称をなす１対の照明灯を、放熱板の上片が天井の下面から離間するようにして、かつケースおよび放熱板の垂下片が電源ボックスの前後面から離間するようにして、スペーサを介して取付け、前記電源ボックス内に、前後の照明灯に給電する給電装置を設ける。
【０００９】
このような構成とすると、支持体である電源ボックスの前後両面に、照明灯をバランスよく取付けることができるとともに、照明範囲を拡大することができる。
【００１０】
(３)  上記(１)または(２)項において、放熱板の垂下片に、上下方向を向く複数の切込溝を設けることにより、垂下片を櫛歯状とする。
【００１１】
このような構成とすると、放熱板の垂下片における外気との接触面積を著しく大とすることができ、放熱性能を高めることができる。
また、この櫛歯状とした垂下片は、ケースと支持体とにより前後から挟まれ、櫛歯状部分が外部に露呈しないので、体裁がよい。
【００１２】
(４)  上記(１)〜(３)項のいずれかにおいて、基板を、放熱板の下面に取付けられた水平片と、その後端から後下方に延出する傾斜片とからなるものとし、前記両片の下面にそれぞれ複数の光源を、左右方向に並べて、かつ水平片に設けた互いに隣接する２個の光源の間に、傾斜片に設けた各光源が位置するようにして設ける。
【００１３】
このような構成とすると、ケースの外側における照度分布を均一化することができる。
【００１４】
(５)  上記(１)〜(４)項のいずれかにおいて、光源を、ＬＥＤとする。
【００１５】
このような構成とすると、消費電力を低減できるとともに、長寿命化を図ることができる。
【００１６】
(６)  上記(１)〜(５)項のいずれかにおいて、放熱板の上片とケースの上端との間に、パッキンを介在させて、放熱板をケースに締付けて固定することにより、ケース内を密閉する。
【００１７】
このような構成とすると、防水性を高めることができ、船舶用や屋外用の照明灯として好適である。
【発明の効果】
【００１８】
本発明によると、取付け時のレイアウトの自由度が大であり、特に、天井から光源までの距離を小として取付けることができ、しかも、十分な放熱性能を発揮することができるだけでなく、照度分布を均一化できるようにした照明灯、およびその取付構造を提供することができる。
【図面の簡単な説明】
【００１９】
【図１】本発明の照明灯の取付構造の一実施形態の正面図である。
【図２】同じく、平面図である。
【図３】同じく、底面図である。
【図４】同じく、拡大側面図である。
【図５】図１のV―V線拡大縦断側面図である。
【図６】図１のVI―VI線拡大縦断側面図である。
【図７】図１のVII―VII線拡大縦断側面図である。
【図８】照明装置の分解斜視図である。
【発明を実施するための最良の形態】
【００２０】
以下、本発明の一実施形態を，図面に基づいて説明する。
図１〜図８に示すように、この照明装置は、室内の天井１の下面に取付けた支持体である電源ボックス２の前後両面に、照明灯３、３を取付けたものよりなっている。
【００２１】
電源ボックス２は、図４〜図８に示すように、下面が開口する左右方向に長い直方体状の筐体４と、その下端開口部をパッキン５を介して密閉する蓋板６と、この蓋板６を筐体４の下面に着脱可能として固着する複数の固定ねじ７と、筐体４の上面両側部に固着した左右１対の取付片８、８とを備えており、左右の取付片８、８を、天井１の下面にねじ止め(図示略)することにより、天井１に取付けられている。
【００２２】
筐体４の前後両面には、各照明灯３を取付けるための左右１対の取付孔９、９が設けられている。また、筐体４の両側面には、配線を気密状態を維持して挿通させる配線接続口１０が設けられている。
【００２３】
電源ボックス２内には、前後の照明灯３に給電するための電源装置１１が設けられている。
【００２４】
前後の照明灯３は、互いに前後対称に取付けただけで、同一の構造であるので、以下の説明では、その前方のもののみについて説明する。
この照明灯３は、図１〜図８に示すように、透光性の合成樹脂材料よりなり、上面が開口する左右方向に長い箱状のケース１２を備えている。
【００２５】
このケース１２は、左右方向に長い垂直板状の後壁１２ａと、その下端より前方を向く短寸の底壁１２ｂと、底壁１２ｂの前端より前上方に向かって傾斜する前壁１２ｃと、それらの両側端を閉塞する両側壁１２ｄ、１２ｄと、後壁１２ａの下端より後方を向く短寸の後向片１２ｅとからなっている。
後向片１２ｅには、上下方向に貫通する複数の通気孔１２ｆが、左右方向に並べて設けられている。
【００２６】
ケース１２における後壁１２ａの後面には、ケース１２を筐体４の前面に取付ける際に、ケース１２の後壁１２ａを筐体４の前面から前方に離間させるための左右１対のスペーサ１３、１３が後向突設されている。
このスペーサ１３における後壁１２ａからの後方への突出量は、後向片１２ｅの後方への突出量と同一としておくのが好ましい。
【００２７】
各スペーサ１３の後面上部には、筐体４の前面における取付孔９に嵌合する雄ねじ部１４が後向突設されており、この雄ねじ部１４の中心と、スペーサ１３と、ケース１２の後壁１２ａとには、前後方向を向く配線挿通孔１５が設けられている。
【００２８】
ケース１２における上端開口部は、その周縁部にパッキン１６を介して、放熱板１７の上片１７ａをもって閉塞し、かつ上片１７ａの周縁部適所を固定ねじ１７ｃをもってケース１２に締め付けて固定することにより、密閉されている。
【００２９】
放熱板１７は、例えばアルミニウム合金等よりなり、その上片１７ａの後部は、ケース１２の後壁１２ａより後方に突出し、その後端には、ケース１２の後壁１２ａの後面より後方に離間するようにして垂下する垂下片１７ｂが連設されている。
【００３０】
放熱板１７における上片１７ａの後部から垂下片１７ｂ全体にかけて、上下方向を向く複数の切込溝１８を左右方向に並べて設けることにより、垂下片１７ｂは正面から見て櫛歯状に形成されている。
放熱板１７の垂下片１７ｂには、スペーサ１３、１３との干渉を避けるための左右１対の切り欠き１９、１９が設けられており、この各切り欠き１９にスペーサ１３が嵌合されている。
【００３１】
ケース１２内における放熱板１７の上片１７ａの下面には、左右方向に長い基板２０における水平片２０ａが固着されている。基板２０における水平片２０ａの後端には、後下方に向かって延出する傾斜片２０ｂが連設されている。
【００３２】
基板２０における水平片２０ａの下面と傾斜片２０ｂの下面とには、ＬＥＤとした複数の光源２１を左右方向に等間隔で並べて設けた光源取付板２２、２３が、水平片２０ａに設けた光源取付板２２における互いに隣接する２個の光源２１、２１間に、傾斜片２０ｂに設けた光源取付板２３における各光源２１が位置するようにして、すなわち、各光源２１が千鳥状の配置をなすようにして取付けられている。
【００３３】
基板２０における水平片２０ａと傾斜片２０ｂとのなす角度は、１２０°とするのが好ましいが、その他の鈍角としてもよい。
また、光源取付板２２、２３の表面には、高反射レジスト処理を施し、各光源取付板２２、２３が反射板としても作用するようにしておくのが好ましい。
各光源取付板２２、２３に設ける光源２１の数は、６〜２４個とし、それらを等間隔に並べて取付けるのが好ましい。
【００３４】
各光源２１および光源取付板２２、２３をこのような配置とすることにより、ＬＥＤの強い指向性を改善し、ケース１２の外側における照度分布を均一化することができる。
【００３５】
照明灯３は、各スペーサ１３の後面が、パッキン２４を介して、筐体４の前面に当接するまで、各雄ねじ部１４を筐体４の前面における取付孔９に嵌合し、その状態で、筐体４の内方から、雄ねじ部１４にナット２５を螺合して締め付けることにより、筐体４の前面に、気密状態で強固に固着される。
【００３６】
このとき、ケース１２における後壁１２ａの後面と、筐体４の前面との間には、スペーサ１３によって、上下方向を向く通気路２６が形成され、この通気路２６の下端は、ケース１２における後向片１２ｅに設けられた通気孔１２ｆと連通し、また通気路２６の上端は、放熱板１７の上片１７ａと天井１の下面との間に形成された前後方向を向く通気路２７の後端と連通している。
【００３７】
通気路２６内において、櫛歯状の垂下片１７ｂは、ケース１２の後壁１２ａと筐体４の前面との両方から離間しているので、それらの間を流通する空気と効率よく熱交換することができ、放熱性能を高めることができる。
因みに、切込溝１８は、放熱板１７の垂下片１７ｂだけでなく、上片１７ａの後部にまで切り込まれているので、ケース１２の後壁１２ａと垂下片１７ｂとの間の空気は、その上片１７ａの後部まで切り込まれた切込溝１８の上端部を通って、通気路２７に流通することができる。
【００３８】
また、放熱板１７は、その上片１７ａが通気路２７を流通する空気と熱交換することによっても放熱することができ、放熱性能をさらに高めることができる。
しかも、放熱板１７の上片１７ａ上には、従来のように、多数の放熱フィンを立設する必要がないので、天井１の下面から光源２１までの距離を小として、室内等に取付けることができ、取付け時のレイアウトの自由度を大とすることができる。
【００３９】
なお、天井１の下面から光源２１までの距離、および通気路２７の上下幅は、筐体４における取付片８の上下寸法を変更することにより、適宜調整することができる。
【００４０】
各光源２１に接続された配線(図示略)は、雄ねじ部１４の中心に設けられた配線挿通孔１５を通って、電源ボックス２内に引き込まれ、その中の電源装置１１に接続される。
【００４１】
以上から明らかなように、この実施形態においては、放熱板１７の上片１７ａに放熱フィンを立設する代わりに、放熱板１７の上片１７ａの後端に連設した垂下片１７ｂを、ケース１２の後面より後方に離間させ、ここで外気と熱交換させて、放熱させるようにしてあるので、十分な放熱性能を発揮することができ、しかも、天井１から光源２１までの距離を小として、室内等に取付けることができ、取付け時のレイアウトの自由度を大とすることができる。
【００４２】
また、ケース１２内、および電源ボックス２内は、完全に密閉してあるので、防水性を高めることができ、船舶用や屋外用の照明灯として好適である。
【００４３】
さらに、電源ボックス２の前後両面に、照明灯３、３を、前後対称の配置で取り付けてあるので、前後の照明灯３、３のバランスがよく、しかも照明範囲を拡大することができる。
【００４４】
本発明は、上記実施形態のみに限定されるものではなく、特許請求の範囲を逸脱することなく、例えば、次のような幾多の変形した態様での実施が可能である。
(ａ)  単一の照明灯３のみを、直接室内の側壁等に取付ける。
この場合は、室内の側壁等が支持体となり、電源装置１１は、その室内の側壁内に埋設するか、もしくはその表面に取付けてもよい。
(ｂ)  筐体４の前面のみに照明灯３を取付け、筐体４の後面からは照明灯３を外し、筐体４の後面は密閉する。
(ｃ)  電源装置１１を、ケース１２の内部に設ける。
【符号の説明】
【００４５】
１  天井
２  電源ボックス(支持体)
３  照明灯
４  筐体
５  パッキン
６  蓋板
７  固定ねじ
８  取付片
９  取付孔
１０  配線接続口
１１  電源装置
１２  ケース
１２ａ後壁
１２ｂ底壁
１２ｃ前壁
１２ｄ側壁
１２ｅ後向片
１２ｆ通気孔
１３  スペーサ
１４  雄ねじ部
１５  配線挿通孔
１６  パッキン
１７  放熱板
１７ａ上片
１７ｂ垂下片
１７ｃ固定ねじ
１８  切込溝
１９  切り欠き
２０  基板
２０ａ水平片
２０ｂ傾斜片
２１  光源
２２、２３  光源取付板
２４  パッキン
２５  ナット
２６、２７  通気路
【図１】
0005576209.tif 000002
【図２】
0005576209.tif 000003
【図３】
0005576209.tif 000004
【図４】
0005576209.tif 000005
【図５】
0005576209.tif 000006
【図６】
0005576209.tif 000007
【図７】
0005576209.tif 000008
【図８】
0005576209.tif 000009